(57)【要約】【課題】本発明は、光源ユニット３を本体ユニット２に取り付けるために用いられる連結ユニット１０に関し、異なる寸法あるいは異なる形状のバネ２２を用いることができる連結ユニット３６、およびこの連結ユニット３６を用いた照明装置１を提供することを目的とする。【解決手段】本発明の一態様に係る連結ユニット１０は、係合部２３３が設けられた弾性部材２２と、係合部２３３と係り合うことによって弾性部材２２と連結される連結部材３６とを備え、連結部材３６は、幅方向の寸法が異なる係合部２３３と係り合うとともに、係り合っている係合部２３３の幅方向への移動を規制するように幅方向の寸法に対応して形成された被係合部３６２１を有する。【選択図】          図８
2019175573.tif 000002
【特許請求の範囲】
【請求項１】
係合部が設けられた弾性部材と、
前記係合部と係り合うことによって前記弾性部材と連結される連結部材と
を備え、
前記連結部材は、
幅方向の寸法が異なる前記係合部と係り合うとともに、前記係り合っている前記係合部の前記幅方向への移動を規制するように前記幅方向の寸法に対応して形成された被係合部を有している連結ユニット。
【請求項２】
前記係合部は、
弾性変形部と前記弾性変形部の一端部の側に設けられた鉤部とを有し、
前記被係合部は、
前記弾性変形部と前記鉤部とのいずれかと係り合う請求項１に記載の連結ユニット。
【請求項３】
前記係合部は、
前記鉤部と前記被係合部とが係り合う状態で、前記幅方向へ移動を規制される請求項１又は請求項２に記載の連結ユニット。
【請求項４】
前記係合部は、
前記被係合部と係り合っている状態で、前記幅方向の寸法が変わらない請求項１から請求項３の何れか一項に記載の連結ユニット。
【請求項５】
前記被係合部は、
前記幅方向に延設している連結部に形成された貫通孔の周縁部であり、
前記幅方向に沿った係合周縁部と前記係合周縁部の両端部から前記幅方向と交わる方向にそれぞれ向う一対の規制周縁部とを有する請求項１から請求項３の何れか一項に記載の連結ユニット。
【請求項６】
前記係合部は、
前記被係合部と係り合っている状態で、前記幅方向の寸法が変わる請求項１から請求項３の何れか一項に記載の連結ユニット。
【請求項７】
前記被係合部は、
前記幅方向に延設している連結部に形成された貫通孔の周縁部であり、
前記幅方向に沿った係合周縁部と前記係合周縁部の中央部から前記幅方向と交わる方向に向う規制突出部とを有する請求項１から請求項６の何れか一項に記載の連結ユニット。
【請求項８】
前記被係合部は、
前記幅方向に延設している連結部に形成された貫通孔の周縁部であり、
互いに離間して前記幅方向に沿った係合周縁部の中央部に繋がる一対の誘導溝と前記誘導溝と繋がっており前記幅方向と交わる方向にそれぞれ向う一対の規制溝とを有する請求項１から請求項７の何れか一項に記載の連結ユニット。
【請求項９】
前記被係合部は、
前記幅方向に延設している前記連結部の幅方向における両端部に形成された一対の貫通溝の周縁部であり、
前記連結部の幅方向における両端部にそれぞれ繋がる誘導溝と前記誘導溝と繋がっており前記幅方向と交わる方向にそれぞれ向う一対の規制溝とを有する請求項１から請求項８の何れか一項に記載の連結ユニット。
【請求項１０】
本体ユニットと、
前記本体ユニットに取り付けられる光源ユニットと、
本体ユニット及び光源ユニットの何れかに取り付けられる弾性部材と、
前記弾性部材が取り付けられない前記本体ユニット及び前記光源ユニットの何れかに取り付けられ、前記弾性部材に設けられた係合部と係り合うことによって前記弾性部材と連結される連結部材と
を備え、
前記連結部材は、
幅方向の寸法が異なる前記係合部と係り合うとともに、前記係り合っている前記係合部が前記幅方向へ移動を規制されるように前記幅方向の寸法に対応して形成された被係合部を有する照明装置。
【発明の詳細な説明】
【技術分野】
【０００１】
本発明は、光源を備えた光源ユニットが本体ユニットに対して着脱自在に取り付けられる照明装置に関し、特に光源ユニットを本体ユニットに取り付けるために用いられる連結ユニットに関する。
【背景技術】
【０００２】
従来、蛍光灯を用いた照明装置に替わってＬＥＤを光源とした照明装置として、天井等の被取付部に取り付けられる本体とＬＥＤを光源としたＬＥＤモジュールとを備え、ＬＥＤモジュールが、バネ受けに復元力により係合するバネによって、本体に対して着脱自在に装着される照明装置がある（例えば、特許文献１、２等参照）。
【先行技術文献】
【特許文献】
【０００３】
【特許文献１】特開２０１５−０２２８８１号公報
【特許文献２】特開２０１６−０４６１６８号公報
【発明の概要】
【発明が解決しようとする課題】
【０００４】
特許文献１、２に記載された照明装置は、バネ（特許文献２においては弾性体）とバネ受け（特許文献２においては取付金具）との相互の組合せが唯一の限定的な組合せとなっていた。このため、バネおよびバネ受けは、異なる寸法であったり異なる形状であったりするのものどうしを相互に組み合わせて使用することができなかった。
【０００５】
本発明は、上記の課題を鑑みてなされたものであり、その目的は、異なる寸法あるいは異なる形状のバネを用いることができる連結ユニット、およびこの連結ユニットを用いた照明装置を提供することである。
【課題を解決するための手段】
【０００６】
本発明の一態様に係る連結ユニットは、
係合部が設けられた弾性部材と、
前記係合部と係り合うことによって前記弾性部材と連結される連結部材と
を備え、
前記連結部材は、
幅方向の寸法が異なる前記係合部と係り合うとともに、前記係り合っている前記係合部が前記幅方向へ移動を規制されるように前記幅方向の寸法に対応して形成された被係合部を有する。
【発明の効果】
【０００７】
本発明の一態様に係る連結ユニットによれば、連結部材が異なる寸法あるいは異なる形状の弾性部材と相互に係り合うことができ、この連結ユニットを使用した照明装置は、本体ユニットに光源ユニットを着脱自在に装着することができる。
【図面の簡単な説明】
【０００８】
【図１】実施の形態１に係る照明装置の斜視図である。
【図２】実施の形態１に係る照明装置の断面図であり、（ａ）は図１におけるＡ−Ａ断面図、（ｂ）は図２（ａ）におけるＢ−Ｂ断面の斜視図である。
【図３】実施の形態１に係る照明装置を本体ユニットと光源ユニットとに分割した分割斜視図である。
【図４】実施の形態１に係る照明装置の正面図であり、連結ユニットを説明する図である。
【図５】実施の形態１に係る本体ユニットの斜視図である。
【図６】実施の形態１に係るバネを示す図であり、（ａ）は斜視図、（ｂ）は図５（ａ）におけるＣ−Ｃ断面図である。
【図７】実施の形態１に係る光源ユニットの斜視図である。
【図８】実施の形態１に係るバネ受具の斜視図である。
【図９】実施の形態１に係るバネ受具の６面図である。
【図１０】実施の形態１に係る本体ユニットへの光源ユニットの取り付けの手順を示す図である。
【図１１】実施の形態１に係る連結ユニットの作用を説明する図であり、（ａ）は幅寸法が大きいバネを用いた状態を示す図、（ｂ）は幅寸法が小さいバネを用いた状態を示す図である。
【図１２】実施の形態１に係る幅寸法が小さいバネを用いた照明装置の断面図であり、（ａ）は図１におけるＡ−Ａ断面図に相当し、（ｂ）は図２（ａ）におけるＢ−Ｂ断面の斜視図に相当する。
【図１３】実施の形態２に係るバネ受具を示す図であり、（ａ）は斜視図、（ｂ）は背面図である。
【図１４】実施の形態３に係るバネ受具を示す図であり、（ａ）は斜視図、（ｂ）は背面図である。
【図１５】実施の形態４に係る連結ユニットを示す図であり、（ａ）はバネの斜視図、（ｂ）はバネ受具の斜視図である。
【図１６】実施の形態４に係る連結ユニットの作用を説明する図であり、（ａ）は形状が異なるバネを用いた状態を示す図、（ｂ）形状が異なるバネとバネ受具とが係り合う状態の示す斜視図である。
【発明を実施するための形態】
【０００９】
以下、本発明の実施の形態に係る連結ユニット、および照明装置ついて、図面を参照して説明する。同じまたは対応する構成要素には同じ符号を付し、説明の繰り返しを省略する場合がある。
【００１０】
なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上、そのように記載されており、装置、器具、あるいは部品等の配置、方向および向きを限定するものではない。
【００１１】
実施の形態１．
本発明は、連結ユニットを構成する弾性部材であるバネが異なる寸法あるいは異なる形状であっても相互に係り合うことができる連結部材であるバネ受具、これらを用いた照明装置に関するものである。
【００１２】
＜＜照明装置１の全体の構成＞＞
図１から図４を参照して、実施の形態１に係る照明装置１の全体の構成を説明する。
【００１３】
図１は、実施の形態１に係る照明装置１の斜視図である。
図２は、実施の形態１に係る照明装置１の断面図であり、（ａ）は図１におけるＡ−Ａ断面図であり、（ｂ）は図２（ａ）におけるＢ−Ｂ断面の斜視図である。
図３は、実施の形態１に係る照明装置１を本体ユニット２と光源ユニット３とに分割した分割斜視図である。
図４は、実施の形態１に係る照明装置１の正面図であり、連結ユニット１０を説明する図である。
【００１４】
図１に示すように、照明装置１は天井、壁などの造営部９に取り付けられて使用される照明装置である。本実施の形態では、照明装置１は長尺形状である。
【００１５】
図１から図４に示すように、照明装置１は、長尺形状の本体ユニット２、本体ユニット２に着脱自在に取り付けられる長尺形状の光源ユニット３、光源ユニット３と本体ユニット２とを連結する連結ユニット１０を備えている。つまり、光源ユニット３は、連結ユニット１０によって本体ユニット２に着脱自在に装着される。
【００１６】
本体ユニット２および光源ユニット３は、いずれも長尺形状であり、光源ユニット３が本体ユニット２に取り付けられた状態では、いずれも照明装置１の長手方向Ｘに沿っている。
【００１７】
以下の説明において、照明装置１の長手方向に沿った方向を長手方向Ｘ、長手方向Ｘに直交し長手方向Ｘに対する短手方向を短手方向Ｙ、長手方向Ｘおよび短手方向Ｙのいずれとも直交する方向を上下方向Ｚとする。また、長手方向において、長手端部側への向きを端向きＸ１とし、端向きＸ１と反対側への向きであり長手中央側への向きを中向きＸ２とする。さらに、上下方向Ｚにおいて、照明装置１が取り付けられる造営部９側（すなわち天井、壁などの被取付部側）への向きを上向きＺ１とし、上向きＺ１と反対側への向きであり照明装置１から光が照射される照射空間側への向きを下向きＺ２とする。なお、上向きＺ１は、光源ユニット３が本体ユニット２に取り付けられる向きであり、下向きＺ２は、光源ユニット３が本体ユニット２から取り外される向きである。
【００１８】
図２、図３に示すように、照明装置１は、本体ユニット２に設けられた収容部２００に光源ユニット３が収容される構成となっている。本体ユニット２は収容部２００に配置されるバネ２２を有し、光源ユニット３は台座３１に配置されるバネ受具３６を有する。
【００１９】
照明装置１は、本体ユニット２の上面を天井、壁等の造営部９に直付け設置される直付けタイプの照明装置である。すなわち、照明装置１は、直付けタイプの本体ユニット２を備える。図１および図２に示す本体ユニット２の短手方向Ｙの幅寸法は、例えば、１５０ｍｍである。
【００２０】
＜連結ユニット１０の構成＞
図２から図４に示すように、照明装置１は、本体ユニット２に配置されるバネ２２と光源ユニット３に配置されるバネ受具３６とからなる連結ユニット１０を備える。すなわち、バネ２２およびバネ受具３６は、照明装置１の連結ユニット１０を構成する。バネ２２とバネ受具３６とは、相互に係り合う（係合する）ことによって、光源ユニット３を本体ユニット２の側に引っ張るとともに本体ユニット２と光源ユニット３とを連結する。
【００２１】
弾性部材であるバネ２２は本体ユニット２側の連結部であり、器具側連結具ともいう。また、バネ２２と連結する連結部材であるバネ受具３６は、光源ユニット３側の連結部であり、バネ係合具あるいは灯具側連結具ともいう。
【００２２】
連結ユニット１０は、バネ２２の弾性力によってバネ受具３６を上向きＺ１に引っ張る構成となっており、これによって本体ユニット２の収容部２００に光源ユニット３が収容される。連結ユニット１０は、光源ユニット３の本体ユニット２における長手方向Ｘに対する取付位置を決める。また、連結ユニット１０は、光源ユニット３の本体ユニット２における短手方向Ｙに対する取付位置を決める。そして、連結ユニット１０は、本体ユニット２の長手方向Ｘまわりの取付角度を決める。
【００２３】
バネ２２は、バネ受具３６と係り合った（係合した）状態で、バネ２２の幅方向への移動が規制される。バネ受具３６は、幅寸法あるいは形状が異なるバネと係り合う（係合する）ことが可能であり、幅寸法あるいは形状が異なるバネは、バネ受具３６と係り合った（係合した）状態で、いずれもバネの幅方向（短手方向Ｙ）への移動が規制される。すなわち、バネ受具３６は、バネが異なる寸法あるいは異なる形状であっても相互に係り合って（係合して）、本体ユニット２と光源ユニット３とを連結することができる。
【００２４】
＜本体ユニット２の構成＞
図５を参照して実施の形態１に係る本体ユニット２の構成を説明する。
【００２５】
図５は、実施の形態１に係る本体ユニット２の斜視図である。
図５に示すように、本体ユニット２は、器具本体２０と、器具本体２０の両端部に取り付けられる器具端部２１とを備える。本体ユニット２は長尺形状に形成されている。器具本体２０は、短手方向Ｙに沿った断面形状（長手方向Ｘに沿って見た断面形状）が略コ字形状に形成され、長手方向Ｘに延設された収容部２００を備える。実施の形態１では、器具本体２０および器具端部２１は、板金が折り曲げられて形成される。収容部２００は折り曲げられた板金に囲まれた長尺形状の空間である。
【００２６】
図２、図３、図５に示すように、収容部２００は、長手方向Ｘに延びた器具底面部２０１と、短手方向Ｙにおける器具底面部２０１の両端部を基端部として立ち上がる器具側面部２０２とを備える。器具端部２１は、収容部２００の長手方向Ｘにおける両端部を覆うように器具本体２０に取り付けられる。器具端部２１には、複数の照明装置１を長手方向Ｘに連結設置する場合に送り電線の挿通等に開放するノックアウト２１０が形成されてもよい。
【００２７】
収容部２００は、長手方向Ｘに延びる３面を器具本体２０に覆われ、長手方向Ｘにおける両端部を器具端部２１によって覆われており、長手方向Ｘに延びる１面が開放されている。すなわち、本体ユニット２には開口縁部２０３に囲まれた矩形をなす開口が形成されている。光源ユニット３はこの開口から収容部２００の内部に一部が収納される。
【００２８】
器具底面部２０１には、複数の貫通孔２０６が形成されており、本実施の形態では、貫通孔２０６として、商用電源から電力供給を受けるための電源線（図示は省略）を収容部２００内に引き込む配線孔２０８と、固定具（図示は省略）を用いて本体ユニット２を造営部９に固定するための固定孔２０７が形成されている。
【００２９】
本体ユニット２は、短手方向Ｙにおける収容部２００の外側に、長手方向Ｘに延設された開口周部２０４を備える。本実施の形態では、開口周部２０４は器具本体２０と一体に形成されている。開口周部２０４は、器具側面部２０１の基端部と反対側の先端部を短手方向Ｙにおける外側に向って折り曲げられている。開口周部２０４は、照射側に面した下面部であり、光源ユニット３から照射される光の一部を照射空間側に反射する反射部である。開口周部２０４は鍔部ともいう。
【００３０】
本体ユニット２は、短手方向Ｙにおける開口周部２０４の外側に、長手方向Ｘに延設された斜面部２０５を備える。本実施の形態では、斜面部２０５は器具本体２０と一体に形成されている。斜面部２０５は、器具側面部２０１と反対側の先端部を上下方向Ｚにおける上向きＺ１且つ短手方向Ｙにおける外側の向きである斜め上方に向って折り曲げられている。斜面部２０５は、光源ユニット３から照射される光の一部を照射空間側に反射する反射部である。
【００３１】
本体ユニット２は、長手方向Ｘにおける収容部２００の端部に、短手方向Ｙに延設された開口周部２１１を備える。開口周部２１１は、収容部２００の長手方向Ｘにおける両端部の一部を覆うように配置される。開口周部２１１は、本体ユニット２に光源ユニット３を装着した状態で、本体ユニット２と光源ユニット３との間の隙間を塞ぐ。本実施の形態では、開口周部２１１は器具端部２１と一体に形成されている。開口周部２１１は、器具端部２１の開口縁部２０３側を長手方向Ｘにおける中向きＸ２に向って折り曲げられている。開口周部２１１は、照射側に面した下面部あり、光源ユニット３から照射される光の一部を照射空間側に反射する反射部である。開口周部２１１は鍔部ともいう。
【００３２】
図５に示すように、収容部２００には、本体ユニット２側の連結部であり器具側連結具であるバネ２２、器具配線具２４である器具電源線２４０、端子台２４３等が配置される。詳しくは、器具底面部２０１に、２つのバネ２２、および端子台２４３が取り付けられている。バネ２２は、後述する光源ユニット３が備えるバネ受具３６に対応する位置に配置される。端子台２４３は、電源端子台である。あるいは、端子台２４３は信号端子台である。端子台２４３は、電源端子台と信号端子台を一体に構成したものであってもよい。
【００３３】
＜器具配線具２４＞
図５に示すように、本体ユニット２の収容部２００には、器具電源線２４０、制御線２４２、端子台２４３を含む器具配線具２４、および電源電線（図示は省略）等が配設される。つまり、収容部２００は配線空間としての機能を有する。
【００３４】
端子台２４３は、ネジ２５（図示は省略）を用いて器具底面部２０１に固定される。端子台２４３には、後述する光源ユニット３の点灯装置３５への電力供給経路となる器具電源線２４０が接続される。本実施の形態では、器具電源線２４０の先端部に器具電源線コネクタ２４１が設けられている。器具電源線コネクタ２４１は、後述する光源ユニット３の点灯装置３５に接続される光源電源線４０１の先端部に設けられた光源電源線コネクタ４０２と接続されることによって点灯装置３５への電力供給経路となる。
【００３５】
また、端子台２４３には、点灯装置３５に接続され、点灯装置３５から出力される点灯電力を調整する制御信号の伝達経路となる器具制御線２４２が接続されてもよい。この場合、端子台２４３は、器具電源線２４０が接続されるものと器具制御線２４２ものとを別々に備えてもよい。
【００３６】
そして、端子台２４３には、外部電源（図示は省略）に接続され、外部電源からの電力供給経路となる電源電線（図示は省略）が接続される。
【００３７】
さらに、端子台２４３には照明装置１を長手方向に連結した場合には、隣接する照明装置に電力や制御信号を送るための送り電線が接続される。この場合、収容部２００内には、電源電線と送り電線とが配設される。
【００３８】
＜バネ２２＞
バネ２２は、連結ユニット１０を構成する本体ユニット２側の連結部であり器具側連結具ともいう。バネ２２は、光源ユニット３側の連結部であるバネ受具３６と係り合う（係合する）ことによって光源ユニット３を本体ユニット２に連結する。すなわち、バネ２２は、光源ユニット３のバネ受具３６とともに、照明装置１の連結ユニット１０を構成する。バネ２２は、バネ鋼、ステンレス鋼等の金属製の弾性材料を用いて形成される。
【００３９】
図５に示すように、本実施の形態では、２つのバネ２２は、本体ユニット２の長手方向Ｘにおける両端部側にそれぞれ配置される。バネ２２は、ネジ２５を用いて器具底面部２０１に固定される。バネ２２は、後述する光源ユニット３が備えるバネ受具３６に対応する位置に配置される。つまり、バネ２２は、後述する光源ユニット３が備えるバネ受具３６に対応して、本体ユニット２の長手方向Ｘにおける一方の端部側に配置されてもよいし、長手方向Ｘにおける両方の端部側に配置されてもよい。なお、バネ２２およびバネ２２に対応して後述する光源ユニット３が備えるバネ受具３６は、光源ユニット３に取り付けられる点灯装置３５等と接触しない位置を選択して配置する。
【００４０】
バネ２２は、後述する光源ユニット３が備えるバネ受具３６と係り合い、光源ユニット３を本体ユニット２に連結固定する。バネ２２は、光源ユニット３のバネ受具３６とともに、光源ユニット３を引っ張ることによって本体ユニット２に取り付ける連結ユニット１０を構成する。
【００４１】
図６を参照して、実施の形態１に係るバネ２２の構成を説明する。
【００４２】
図６は、実施の形態１に係るバネ２２を示す図であり、（ａ）は斜視図、（ｂ）は図５（ａ）におけるＣ−Ｃ断面図である。
【００４３】
図６に示すように、バネ２２は長尺形状であり、幅寸法が全体にわたって略同じ寸法である板バネである。バネ２２の幅寸法はＷＳ１である。バネ２２は、固定部２２０、弾性変形部（円弧形状部）２２４、および先端部２３３（Ｋ）とから構成される。
【００４４】
固定部２２０は、第１平坦部２２１（Ｌ１）とバネ係止片２２３とによって構成される。第１平坦部２２１（Ｌ１）は、器具底面部２０１に固定される。第１平坦部２２１（Ｌ１）の中央部には貫通孔２２２が形成される。貫通孔２２２は、バネ２２を器具底面部２０１に固定するためのネジ２５を挿通するネジ孔である。バネ係止片２２３は器具底面部２０１に設けられたバネ係止部（図示は省略）と係合して、バネ２２の本体ユニット２に対する固定を補助する。
【００４５】
弾性変形部（円弧形状部）２２４は、第１曲げ部２２５（Ｍ１）、第２平坦部２２６（Ｌ２）、第２曲げ部２２７（Ｍ２）、第３平坦部２２８（Ｌ３）、第３曲げ部２２９（Ｍ３）、第４平坦部（２３０）Ｌ４、第４曲げ部２３１（Ｍ４）、および円弧部２３２（Ｅ）によって構成される。
【００４６】
先端部２３３（Ｋ）は、円弧部２３２（Ｅ）の端部が屈曲された屈曲部である。先端部２３３（Ｋ）は、鉤部ともいう。
【００４７】
第１平坦部２２１（Ｌ１）は、長手形状の一方の端部側に形成されており、バネ２２の長手形状の一方の端部から他方の端部に向かう。第１平坦部２２１（Ｌ１）は、一方の端部を器具底面部２０１の長手方向Ｘにおける中央側（中向きＸ２）に向けた状態で、ネジ２５を用いて器具底面部２０１に固定される。
【００４８】
第１曲げ部２２５（Ｍ１）は、第１平坦部２２１（Ｌ１）の終わりに、第１曲げ半径Ｒ１で形成される。
【００４９】
第２平坦部２２６（Ｌ２）は、第１曲げ半径Ｒ１で第１角度θ１に曲げられて第１平坦部２２１（Ｌ１）から立ち上がる。第２平坦部２２６（Ｌ２）は、バネ２２が光源ユニット３を引っ張る弾性作用時の可動の軸になる。
【００５０】
第２曲げ部２２７（Ｍ２）は、第２平坦部２２６（Ｌ２）の終わりに、第１曲げ半径Ｒ１と反対向きに第２曲げ半径Ｒ２で形成される。
【００５１】
第３平坦部２２８（Ｌ３）は、第２曲げ半径Ｒ２で鋭角の第２角度θ２に曲げられて延びる。
【００５２】
第３曲げ部２２９（Ｍ３）は、第３平坦部２２８（Ｌ３）の終わりに、第２曲げ半径Ｒ２と反対向きに第３曲げ半径Ｒ３で形成される。第３曲げ部２２９（Ｍ３）は、光源ユニット３が本体ユニット２に装着完了となる直前にバネ受具３６の板部１５０１に当たることで、円弧部２３２（Ｅ）の摺動を制御する。
【００５３】
第４平坦部（２３０）Ｌ４は、第３曲げ半径Ｒ３で鋭角の第３角度θ３に曲げられて延びる。
【００５４】
第４曲げ部２３１（Ｍ４）は、第４平坦部（２３０）Ｌ４の終わりに、第３曲げ半径Ｒ３と反対向きに第４曲げ半径Ｒ４で形成される。
【００５５】
円弧部２３２（Ｅ）は、第４曲げ半径Ｒ４で鈍角の第４角度θ４に曲げられて第１平坦部２２１（Ｌ１）の向かう長手方向に延びると共に第２平坦部２２６（Ｌ２）の立ち上がる方向に凸となる円弧形状の部分である。円弧部２３２（Ｅ）は、後述するバネ受具３６の段差部３６２１と当接して摺動する摺動部である。
【００５６】
先端部２３３（Ｋ）は、円弧部２３２（Ｅ）の端部が屈曲されたものであり、バネ受具３６の段差部３６２１に引っ掛けられる。
【００５７】
＜照明装置のバリエーション＞
ここで、図示は省略するが、照明装置１は、後述する光源ユニット３といくつかの異なるタイプの本体ユニットとを組み合わせることによって、さまざまなタイプの照明装置を構成することができる。本実施の形態における光源ユニット３、光源ユニット３が取り付けられる収容部２００、および連結ユニット１０を用いることができる照明装置の一例を説明する。
【００５８】
（バリエーション１）
照明装置は、本体ユニットの短手方向の幅寸法が照明装置１（本体ユニット２）の短手方向Ｙの幅寸法の１．５〜１．６倍であってもよい。具体的には、例えば、２３０ｍｍの幅寸法を採用することができる。この際、天井等の造営部９に対する照明装置の斜面部の角度は、１５０ｍｍの幅寸法の照明装置１（斜面部２０５）の角度よりも小さくなる。
【００５９】
（バリエーション２）
直付けタイプの照明装置の別の例として、本体ユニットの斜面部が収容部２００の下端部から下方に向かって広がるように形成された反射笠タイプの本体ユニットを組み合せたものであってもよい。
【００６０】
（バリエーション３）
照明装置は、光源ユニット３から照射される光を反射する構成を備えていないトラフタイプのような本体ユニットが組み合わせてもよい。
【００６１】
（バリエーション４）
照明装置は、本体ユニットの少なくとも一部が天井等の造営部９に形成された取付孔に埋め込まれて取り付けられる埋込タイプの本体ユニットを備えたものであってもよい。照明装置の短手方向Ｙにおける幅寸法は、例えば、１００ｍｍ〜１５０ｍｍ程度の寸法を採用することができる。
【００６２】
（バリエーション５）
埋込タイプの照明装置は、Ｃチャンネル回避型の本体ユニットを備えたものであってもよい。本体ユニットの取付孔に埋め込まれる部分の高さが低く抑えられており、照明装置の短手方向Ｙにおける幅寸法は、例えば、２２０ｍｍ程度の寸法を採用することができる。
【００６３】
（バリエーション６）
照明装置１において、本体ユニット２と光源ユニット３との位置関係は、本体ユニット２が下で光源ユニット３が上であってもよいし、両者が水平に位置するような関係であってもよいし、両者が斜めに位置するような関係であってもよい。また、照明装置１は、長手方向Ｘあるいは短手方向Ｙに複数連結して使用することができる。
【００６４】
（バリエーション７）
照明装置１、本体ユニット２および光源ユニット３は、いずれも長尺形状のものを例示して説明するが、これ限らず、正方形、円形、多角形など、他の形状を採用することができる。
【００６５】
＜光源ユニット３の構成＞
図２、図７を参照して実施の形態１に係る光源ユニット３の構成を説明する。
【００６６】
図７は、実施の形態１に係る光源ユニット３の斜視図である。
【００６７】
図２、図７に示すように、光源ユニット３は、発光部３０、台座３１、カバー３３、点灯装置３５、光源配線具４０、バネ受具３６を備える。光源ユニット３は長尺形状に形成されている。光源ユニット３は、本体ユニット２に形成された収容部２００の内部に一部が収納された状態で、本体ユニット２に取り付けられる。
【００６８】
＜発光部３０＞
発光部３０は、基板３００と基板３００に配置される発光素子３０１とからなる。本実施の形態では、基板３００は、ガラス・エポキシ基板（ＦＲ−４）、ガラス・コンポジット基板（ＣＥＭ−３）、紙エポキシ基板（ＦＲ−３）、紙フェノール基板（ＸＰＣ）、金属ベース基板などを用いることができる。
【００６９】
基板３０１は長尺形状であり、矩形状に形成されている。基板３０１は長手方向が照明装置の長手方向Ｘに沿うように、後述する台座３１に設置される。基板３０１の実装面には、長手方向Ｘに沿って列状に複数の発光素子３０１が面実装されている。そして、基板３０１の少なくとも実装面には、導電性材料からなる配線パタン（図示は省略）が敷設されており、発光素子３０１と配線パタンとが電気的に接続されて光源回路が形成される。発光素子３０１と配線パタンとは、例えば、半田付けなどによって接続される。点灯装置３５から基板３０１に点灯電力が供給されると、発光素子３０１が点灯する。
【００７０】
本実施の形態では、発光素子３０１として発光ダイオード（Ｌｉｇｈｔ  Ｅｍｉｔｔｉｎｇ  Ｄｉｏｄｅ；以下、ＬＥＤと称す。）素子が用いられる。詳しくは、波長が４４０〜４８０〔ｎｍ〕の青色光を出射するＬＥＤチップ上に青色光を黄色光に波長変換する蛍光体を配してパッケージ化された面実装部品である疑似白色ＬＥＤ素子が用いられる。発光素子３０１から出射する光は、発光面に垂直な軸に対して対称に照射角αだけ広がる。本実施の形態では、発光素子３０１の照射角αは、例えば、１２０度である。
【００７１】
＜台座３１＞
台座３１は、例えば、鉄、アルミニウム等の金属材料を用いて形成される。台座３１は、例えば金属製の板材を折り曲げて形成される。
【００７２】
台座３１は、長尺形状の平板である台座主部３１０と、台座主部３１０の短手方向の両端が折り曲げられて形成される一対の台座側部３２２とを備える。
【００７３】
台座主部３１０の取付面部３１１には、発光素子３０１に供給する点灯電力生成する点灯装置３５と、２つのバネ受具３６とが取り付けられている。また、取付面部３１１の反対側の面である載置面部３１２には、発光部３０が載置されている。詳しくは、発光部３０は、接着部材（図示は省略）を用いて基板３０１の非実装面と載置面部３１２とを接着することによって、台座３１に固定されている。台座３１は、発光部３０および点灯装置３５の動作熱を放散させるヒートシンクとして機能する。
【００７４】
光源ユニット３が本体ユニット２に取り付けられた状態で、取付面部３１１は本体ユニット２の側である上向きＺ１に向いており、載置面部３１２は本体ユニット２と反対側である下向きＺ２に向いている。
【００７５】
２つの台座側部３２２は、台座主部３１０の短手方向の両端を基端部３２３として取付面部３１１の側に折り曲げられて上向きＺ１に立設している。基端部３２３と反対側の先端部は後述するカバー３３が取り付けられる台座係合部３２４であり、内側にカール状の折り曲げ加工が施されている。
【００７６】
台座３１は、短手方向Ｙに切る断面（長手方向Ｘに沿って見た断面）が略コ字形状である。すなわち、台座３１は、略コ字形状の断面形状で長手方向Ｘに沿って延設されている。
【００７７】
＜カバー３３＞
カバー３３は、長尺形状に形成されており、長手方向が照明装置の長手方向Ｘに沿うように発光素子３０１を覆って配置されている。カバー３３は、長手方向Ｘに沿って延設した主カバー３３０と、主カバー３３０の長手方向Ｘにおける両端部に取り付けられている端部カバー３４０とを備える。カバー３３は光源ユニット２の外郭部であり、台座３１の載置面部３１２に配置された発光部３０を保護する機能を有している。
【００７８】
主カバー３３０は、発光素子３０１の発光面と対向する透光部３３１と透光部３３１の短手方向Ｙにおける両端部と繋がり上向きＺ１に立設する一対のカバー取付部３３６とを備える。
【００７９】
透光部３３１は、発光素子３０１の発光面と対向するカバー主部３３２と、カバー主部３３２の短手方向Ｙにおける両端部と繋がり上向きＺ１に立設する一対のカバー側部３３３とを有する。そして、カバー取付部３３６は、カバー側部３３３のカバー主部３３２と反対側の端部と繋がっており、台座側部３２２に沿って上向きＺ１に立設した一対のカバー係合部３３７と台座主部３１０に沿って短手方向Ｙの発光素子３０１側に向って突設した一対のカバー支持部３３８とを有する。
【００８０】
透光部３３１およびカバー取付部３３６は、長手方向Ｘに沿って延在している。カバー３３は、カバー取付部３３６が台座３１の短手方向Ｙの両端部に形成されている台座側部３２２を覆うようにして台座３１に取り付けられる。詳しくは、カバー３３は、カバー係合部３３７が台座係合部３２４と係合し、カバー支持部３３８が台座主部３１０を支持することによって台座３１に固定される。
【００８１】
端部カバー３４０は、台座３１の載置面部３１２に配置される発光部３０の長手方向Ｘにおける端部側を覆う。端部カバー３４０は、主カバー３３０に取り付けられた状態で、カバー３３の長手方向Ｘにおける端面部となる。
【００８２】
カバー３３は、樹脂材料を用いて押出成形などの方法で製造される。カバー３３は、全体が透光性の樹脂材料を用いて形成されてもよいし、一部が遮光性の樹脂材料を用いて形成されてもよい。樹脂材料として、例えば、アクリル、ポリカーボネート（ＰＣ）などを用いることができる。
【００８３】
＜点灯装置３５＞
点灯装置３５は、ネジ（図示は省略）等の固定具を用いて台座主部３１０の取付面部３１１に取り付けられている。点灯装置３５は、商用電源等の外部電源から端子台２４３を介して供給される電力を発光素子３０１を点灯させる点灯電力に変換して発光部３０に供給する。点灯装置３５は、点灯装置３５の外郭部である電源ケース３５１と電源ケース３５１に収納され点灯電力を生成する電源回路が載置された電源ユニット（図示は省略）とを有する。
【００８４】
＜光源配線具４０＞
台座主部３１０の取付面部３１１には、器具電源線２４０と電気的に接続されて外部電源から点灯装置３５への電力供給経路となる光源電源線４０１、点灯装置３５で生成された点灯電力を発光部３０に供給する経路となる給電線４０３、点灯装置３５から出力される点灯電力を外部から制御するための制御信号の伝達経路となる制御線４０５を含む光源電線４００が配置されている。光源電源線４０１の先端には光源電源線コネクタ４０２が取り付けられており、器具電源線２４０の先端に取り付けられた器具電源線コネクタ２４１と接続される。
【００８５】
また、台座主部３１０の取付面部３１１には、光源電線４００を所定の位置に配置するための電線配置具４０６、光源電線４００の接続部分等に加わる応力を軽減するために光源電線４００を固定する電線保持具４０７が取り付けられている。
【００８６】
光源電線４００および電線保持具４０７は、光源ユニット３が備える光源配線具４０の一例である。
【００８７】
＜バネ受具３６＞
図７に示すように、本実施の形態では、２つのバネ受具３６は、台座主部３１０の一面側であるある取付面部３１１の長手方向Ｘにおける両端部側にそれぞれ配置される。バネ受具３６は、本体ユニット２が備えるバネ２２に対応する位置に配置される。つまり、バネ受具３６は、本体ユニット２が備えるバネ２２に対応して、光源ユニット３の長手方向Ｘにおける一方の端部側に配置されてもよいし、長手方向Ｘにおける両方の端部側に配置されてもよい。なお、バネ受具３６およびバネ受具３６に対応して本体ユニット２が備えるバネ２２は、光源ユニット３に取り付けられる点灯装置３５等と接触しない位置を選択して配置する。
【００８８】
バネ受具３６は、本体ユニット２が備えるバネ２２と係り合い（係合し）、光源ユニット３を本体ユニット２に連結固定する。バネ受具３６は、本体ユニット２のバネ２２とともに、光源ユニット３を引っ張ることによって本体ユニット２に取り付ける連結ユニット１０を構成する。そして、バネ受具３６は、異なる寸法あるいは異なる形状のバネと相互に係り合い（係合し）、本体ユニット２と光源ユニット３とを連結することができる。
【００８９】
図８、図９を参照して、実施の形態１に係るバネ受具３６の構成を説明する。
【００９０】
図８は、実施の形態１に係るバネ受具３６の斜視図であり、（ａ）はバネ受具３６の台座３１への取付方法を説明する斜視図、（ｂ）は別の斜視図である。図９は、実施の形態１に係るバネ受具３６の６面図である。
【００９１】
図８、図９に示すように、本実施の形態では、バネ受具３６は、例えば、板材を折り曲げて形成される。板材は、例えば、鉄、アルミニウム等の金属材料、あるいは金属材料を含む複合材料を用いて製造される板金である。
【００９２】
バネ受具３６は、光源ユニット３が本体ユニット２に取り付けられる向きである上向きＺ１に向って立設する連結主部３６０を有する。バネ受具３６は、長手方向Ｘにおける中央側（中向きＸ２側）に連結主部３６０の第１面３６００を向け、長手方向Ｘにおける端部側（端向きＸ１）に連結主部３６０の第２面３６０１を向けて台座３１に取り付けられる。連結主部３６０には、バネ２２が挿通される貫通孔３６１が形成されている。バネ２２は、連結主部３６０の第１面３６００側から第１面の反対側の第２面３６０１側に向って貫通孔３６１に挿入される。バネ受具３６は、貫通孔３６１を挿通されたバネ２２と係り合う（係合する）。貫通孔３６１については、後段で詳しく説明する。
【００９３】
バネ受具３６は、連結主部３６０における台座３１の側の端部（主部下端部）から第２面３６０１の側に折り曲げられた連結固定部３７０を有する。連結固定部３７０には、バネ受具３６を台座３１に固定するためのネジ５０等の固定具を挿通するネジ挿通孔３７３が形成されている。
【００９４】
バネ受具３６の連結主部３６０と連結固定部３７０とは略Ｌ形状をなしている。
【００９５】
バネ受具３６は、連結主部３６０における連結固定部３７０が形成されている端部（主部下端部）と反対側の端部（主部上端部）から、光源ユニット３が本体ユニット２に取り付けられる向きである上向きＺ１に向かって延設された上端部３８０を有する。上端部３８０は、光源ユニット３が本体ユニット２に取り付けられている状態で、収容部（凹部）２００の底となる器具底面部２０１に当接し、光源ユニット３の本体ユニット２における上下方向Ｚに対する取付位置を決める。
【００９６】
バネ受具３６は、短手方向Ｙにおける連結主部３６０の両端部（主部側端部）から第２面３６０１の側に折り曲げられた一対の連結側部３８１を有する。連結側部３８１は、光源ユニット３が本体ユニット２に取り付けられる向きに沿った向きに形成されており、短手方向Ｙに沿って互いに対向して配置されている。
【００９７】
バネ受具３６の連結主部３６０と一対の連結側部３８１とは略コ字形状をなしている。
【００９８】
連結固定部３７０と一対の連結側部３８１とは同じ向きに屈曲されており、連結固定部３７０の外側に２つの連結側部３８１は対向して並設されている。
【００９９】
バネ受具３６は、２つの連結側部３８１のそれぞれにおける台座３１の側の端部（側部下端部）から、短手方向Ｙの外側に向って屈曲して形成された一対の張出部３８２を有する。
【０１００】
バネ受具３６は、張出部３８２の連結側部３８１とは反対側の端部（側端部）に設けられた一対の機能部３８３を有する。機能部３８３は、第１の機能部として、台座主部３１０に形成された係止貫通孔３１９に差し込まれてバネ受具３６を係止する差込片（係止片）３８４、第２の機能部として、台座側部３２２とともにカバー係合部３３７を挟持するカバー保持片３８５、第３の機能部として、台座係合部（カール部）３２４に係合する台座係合片３８６を備える。すなわち、バネ受具３６は、それぞれ２つの差込片（係止片）３８４、カバー保持片３８５、および台座係合片３８６を有する。
【０１０１】
図８（ａ）に示すように、台座主部３１０には、バネ受具３６を取り付けるための係止貫通孔３１９と台座取付部３２０とが形成されている。本実施の形態では、１つのバネ受具３６を取り付けるために、２つの係止貫通孔３１９および１つの台座取付部３２０が設けられている。本実施の形態では、台座主部３１０における長手方向Ｘの両端部側に取り付けられる２つのバネ受具３６に対応して、４つの係止貫通孔３１９および２つの台座取付部３２０を有する。
【０１０２】
係止貫通孔３１９は、台座主部３１０の短手方向Ｙにおける中心（中心線Ｏ）に対して等距離となる位置に対称に形成されている。係止貫通孔３１９は、バネ受具３６の２つの差込片（係止片）３８４に対応した位置に形成されている。本実施の形態では、係止貫通孔３１９は四角形の貫通孔である。
【０１０３】
台座取付部３２０は、台座主部３１０の短手方向における中心線Ｏと重なる位置に形成されている。本実施の形態では、台座取付部３２０は、絞り加工によって台座主部３１０の取付面部３１２の側に突状に形成されており、頂部はネジ孔３２０１が形成された平坦部３２００となっている。平坦部３２００は、バネ受具３６の連結固定部３７０が固定される部分であり、ネジ孔３２０１は、連結固定部３７０のネジ挿通孔３７３から挿通されるネジ５０がねじ込まれる。
【０１０４】
図８（ａ）に示すように、バネ受具３６は、２つの差込片（係止片）３８４を二ヶ所の係止貫通孔３１９に挿入し、ネジ孔３２０１にねじ込まれるネジ５０によって連結固定部３７０を平坦部３２００に固定することによって台座主部３１０の取付面部３１２に取り付けられる。本実施の形態では、１つのバネ受具３６は、１つのネジ５０のみを用いて台座主部３１０に固定されており、バネ受具３６の取り付けが簡素化されている。
【０１０５】
バネ受具３６が台座主部３１０に取り付けられた状態では、連結固定部３７０の第１面（下面部）が台座取付部３２０の平坦部３２００と接触し、張出部３８２の第２面部（下面部）３８２１が台座主部３１０の取付面部３１２と接触しており、バネ受具３６を支えている。そして、台座係合片３８６が上向きＺ１側への移動が規制されるように台座係合部（カール部）３２４と係合しており、バネ受具３６の固定を補助している。
【０１０６】
＜バネ受具３６の貫通孔３６１＞
連結主部３６０に形成される貫通孔３６１は、バネ２２が挿入されるバネ挿入孔であり、バネ受具３６がバネ２２と係り合う（係合する）部分である。バネ受具３６とバネ２２とは係り合う（係合する）ことによって連結する。
【０１０７】
図８、図９に示すように、バネ受具３６は、短手方向Ｙに沿って配置される連結主部３６０に形成され、バネ２２が挿入される貫通孔３６１を有する。貫通孔３６１は、第１貫通部３６２と第２貫通部３６３とを有する。第１貫通部３６２と第２貫通部３６３とは上下方向に隣接して１つの貫通孔として形成されている。第１貫通部３６２は、第２貫通部３６３に対して連結主部３６０の台座３１側の端部（主部下端部）寄りに配置されており、第２貫通部３６３は、第１貫通部３６２に対して連結主部３６０の上端部３８０側の端部（主部上端部）寄りに配置されている。
【０１０８】
貫通孔３６１は、下縁部３６２２、下縁部３６２２の短手方向Ｙの両端部から上端部３８０側に向かう一対の第１側縁部３６２３、２つの第１側縁部３６２３における下縁部３６２２側の端部と反対側の端部（第１上端部）から短手方向Ｙに沿って近付く一対の段差部３６２１、２つの段差部３６２１における第１側縁部３６２３側の端部と反対側の端部（段差部内端部）から上端部３８０側に向かう一対の第２側縁部３６３３、および２つの第２側縁部３６３３における段差部３６２１側の端部と反対側の端部（第２上端部）どうしを繋ぐ上縁部３６３０に囲まれている。ここで、２つの第１側縁部３６２３における下縁部３６２２側の端部と反対側の端部（第１上端部）は、２つの段差部３６２１における第１側縁部３６２３側の端部（段差部外端部）である。
【０１０９】
第１貫通部３６２は、２つの段差部３６２１から下方の下縁部３６２２までの領域である。第２貫通部３６３は、２つの段差部３６２１より上方の上縁部３６３０までの領域である。２つの段差部３６２１は第１貫通部３６２の上縁部である。
【０１１０】
図９に示すように、本実施の形態では、施工性を向上するために、第１貫通部３６２および第２貫通部３６３は、台形の形状をなしており、第１貫通部３６２は下縁部３６２２から段差部３６２１に向って徐々に窄まるように形成されており、第２貫通部３６３は段差部３６２１より上方において上縁部３６２０に向って徐々に窄まるように形成されている。
【０１１１】
すなわち、２つの段差部３６２１における第１側縁部３６２３側の端部（段差部外端部）どうしの距離寸法Ｗ１は下縁部３６２２の長さ寸法Ｗ２より小さく（Ｗ２＞Ｗ１）、上縁部３６２０の長さ寸法Ｗ３は２つの段差部３６２１における第１側縁部３６２３側の端部と反対側の端部（段差部内端部）どうしの距離寸法Ｗ４より小さい（Ｗ４＞Ｗ３）。
【０１１２】
被係合部となる第１貫通部３６２の上縁部である２つの段差部３６２１における、第１側縁部３６２３側の端部（段差部外端部）どうしの距離寸法Ｗ１は、バネ２２の幅寸法ＷＳ１に対応した寸法としており（Ｗ１≧ＷＳ１）、第１貫通部３６２に挿入されたバネ２２は、２つの段差部３６２１における第１側縁部３６２３側の端部（段差部外端部）によって幅方向（短手方向Ｙ）への移動を規制される。このため、本体ユニット２の短手方向Ｙにおける光源ユニット３の位置が決まる。
【０１１３】
バネ受具３６が台座３１に取り付けられた状態では、被係合部となる第１貫通部３６２の上縁部である２つの段差部３６２１および下縁部３６２２が、取付面部３１１に沿っており、光源ユニット３を本体ユニット２に対して着脱する方向である上下方向Ｚと直交する。また、図２に示すように、バネ２２の弾性力によってバネ受具３６が本体ユニット２側の向き（上向きＺ１）に向って引っ張られて、光源ユニット３が本体ユニット２に取り付けられている状態で、段差部３６２１および下縁部３６２２は、板状のバネ２２の面に沿っている。このため、光源ユニット３は、台座３１の取付面部３１１が本体ユニット２の器具底面部２０１に沿うように姿勢が維持される。
【０１１４】
そして、２つの段差部３６２１における第１側縁部３６２３側の端部と反対側の端部（段差部内端部）どうしの距離寸法Ｗ４および第２貫通部３６３の上縁部３６２０の長さ寸法Ｗ３は、いずれもバネ２２の幅寸法ＷＳ１より小さい（ＷＳ１＞Ｗ４＞Ｗ３）。このため、連結ユニット１０の弾性部材として幅寸法ＷＳ１のバネ２２を用いた場合は、バネ２２は第２貫通部３６３に挿入されない。
【０１１５】
＜光源ユニット３の取り付け作業＞
図１０を参照して、造営部９である天井に予め取り付けられた本体ユニット２に対して、作業者が光源ユニット３を取り付ける作業の手順を説明する。
【０１１６】
図１０は、実施の形態１に係る本体ユニット２への光源ユニット３の取り付けの手順を示す図であり、（ａ）は、光源ユニット３が本体ユニット２に取り付けられる前の状態、（ｂ）は、作業者が弾性部材であるバネ２２の円弧部２３２（Ｅ）の曲率が大きくなるようにバネ２２を弾性変形させた状態で、係合部である先端部２３３（Ｋ）をバネ受具３６に連結した状態、（ｃ）は、円弧部２３２（Ｅ）の裏側２３２（Ｅａ）がバネ受具３６の被係合部である段差部３６２１に対して摺動する状態、（ｄ）は、光源ユニット３が本体ユニット２に取り付けられた状態を示す。
【０１１７】
図１０（ａ）において、本体ユニット２では、器具底面部２０１にバネ２２の固定部２２０がネジ２５を用いて固定されている。光源ユニット３は本体ユニット２に取り付けられていない状態である。なお、図１０（ａ）の状態は図３の状態に相当する。
【０１１８】
次に、図１０（ｂ）では、バネ２２が、第２平坦部Ｌ２を回転の中心として、円弧部２３２（Ｅ）が器具底面部２０１に対して略垂直状態になるように弾性変形した状態である。作業者は、両方のバネ受具３６について、貫通孔３６１にバネ２２の先端部２３３（Ｋ）からバネ２２をくぐらせる。作業者は、バネ２２の先端部２３３（Ｋ）を、バネ受具３６の貫通孔３６１の段差部３６２１に引っ掛けて、光源ユニット３を本体ユニット２に吊り下げる。この状態は光源ユニット３の仮取付状態である。２つのバネ２２は、本体ユニット２の両端部分に配置されており、光源ユニット３は２つのバネ２２で本体ユニット２に対して略平行な状態で姿勢を維持して吊り下げられる。図１０（ｂ）の状態は図４の状態に相当する。
【０１１９】
次に、図１０（ｃ）において、作業者が、カバー側部３３３をつかんで光源ユニット３を取付側（上方）に持ち上げると、バネ２２の円弧部２３２（Ｅ）の裏面２３２ａ（Ｅａ）が、開口１５２の段差部３６２１に対して、バネ２２の復元力によって摺動する。このバネ２２の円弧部２３２（Ｅ）の摺動作用は、作業者が光源ユニット３を取付側（上方）に持ち上げると、バネ２２が自ら元の形状に戻ろうとすることによって、作業者がバネ２２を気にすることなく、バネ２２はバネ受具３６に対して摺動しながら元の形状に戻る。
【０１２０】
次に、図１０（ｄ）において、作業者が、本体ユニット２の収容部（凹部）２００に光源ユニット３を押し上げると、バネ受具３６の上端部３８０が収容部（凹部）２００の器具底面部２０１に当接する。このときバネ２２は、本体ユニット２への光源ユニット３の装着が完了する直前では円弧部２３２（Ｅ）の摺動が抑制される。そして、本体ユニット２への光源ユニット３の装着が完了すると、バネ２２の円弧部２３２（Ｅ）が、後述するバネ受具３６の貫通孔３６１の段差部３６２１と押し合う状態で、貫通孔３６１段差部３６２１に対して位置決めされる。なお、図１０（ｄ）の状態は図１および図２の状態に相当する。
【０１２１】
このとき、バネ２２が内側箇所で段差部３６２１を支持する際のバネ定数は、図１０（ｂ）において先端部２３３（Ｋ）で光源ユニット３を支持する際のバネ定数に対してはるかに大きい。これは、バネ２２では第１平坦部２２１（Ｌ）１が本体ユニット２に固定されるので、第１平坦部２２１（Ｌ１）を固定端とする片持ち梁として大まかに見積もることができる。バネ２２では、ほとんど弾性変形しない第１曲げ部２２５（Ｍ１）と第４曲げ部２３１（Ｍ４）との直線距離（スパン）は、第１曲げ部２２５（Ｍ１）と先端部２３３（Ｋ）との距離（スパン）の、例えば１／５〜１／６程度である。片持ち梁ではスパンはバネ定数に３乗で影響する。すなわち、第４曲げ部２３１（Ｍ４）におけるバネ定数は、１／５であれば先端部２３３（Ｋ）におけるバネ定数の１２５倍であり、１／６であれば先端部２３３（Ｋ）におけるバネ定数の２１６倍である。このため、作業者が、本体ユニット２の収容部（凹部）２００への光源ユニット３の押し上げ（押し込み）を完了すると、バネ２２の第４曲げ部２３１（Ｍ４）の内側箇所が、バネ受具３６に形成された貫通孔３６１の段差部３６２１を支持することができる。つまり、第４曲げ部２３１（Ｍ４）の内側箇所で、光源ユニット３の自重を支えることができる。
【０１２２】
＜光源ユニット３の取り外し作業＞
次に、光源ユニット３を本体ユニット２から取り外す作業の手順を説明する。光源ユニット３を取り外す作業の手順は、光源ユニット３を取り付ける作業の手順と逆の手順となる。
【０１２３】
図１０（ｄ）のように、作業者は、光源ユニット３が本体ユニット２に取り付けられた状態から、カバー側部３３３を掴んで、光源ユニット３を略水平の状態のまま照射側（下方）に引き下げる。
【０１２４】
作業者は、光源ユニット３を図１０（ｃ）の状態を経て図１０（ｂ）の状態まで引き下げ、バネ２２の先端部２３３（Ｋ）をバネ受具３６の貫通孔３６１から取り外す。
【０１２５】
以上の手順で、作業者は、本体ユニット２から光源ユニット３を取り外す。
【０１２６】
＜幅寸法が異なるバネ２２ａ＞
図１１、図１２を参照して、幅寸法が異なるバネ２２ａを用いた連結ユニット１０について説明する。
【０１２７】
図１１は、実施の形態１に係る連結ユニット１０の作用を説明する図であり、（ａ）は大きい幅寸法ＷＳ１のバネ２２を用いた状態を示す図、（ｂ）は小さい幅寸法ＷＳ２のバネ２２ａを用いた状態を示す図である。図１２は、実施の形態１に係る小さい幅寸法ＷＳ２のバネを用いた照明装置の断面図であり、（ａ）は図１におけるＡ−Ａ断面図に相当し、（ｂ）は図１２（ａ）におけるＢ−Ｂ断面の斜視図である。
【０１２８】
図１１に示すように、本実施の形態では、バネ２２ａはバネ２２と幅寸法が異なる弾性部材である。バネ２２ａの幅寸法ＷＳ２はバネ２２の幅寸法ＷＳ１より小さい（ＷＳ２＜ＷＳ１）。そして、貫通孔３６１の２つの段差部３６２１における第１側縁部３６２３側の端部と反対側の端部（段差部内端部）どうしの距離寸法Ｗ４は、バネ２２ａの幅寸法ＷＳ２より大きい（Ｗ４＞ＷＳ２）。また、第２貫通部３６３の上縁部３６３０の長さ寸法Ｗ３はバネ２２ａの幅寸法ＷＳ２に対応した寸法としている（Ｗ３≧ＷＳ２）。
【０１２９】
このため、第２貫通部３６３にはバネ２２ａを挿入することが可能であり、第２貫通部３６３に挿入されたバネ２２ａは、被係合部となる上縁部３６３０の両端部によって幅方向（短手方向Ｙ）への移動を規制される。このため、小さい幅寸法ＷＳ２のバネ２２ａを用いた場合でも、本体ユニット２の短手方向Ｙにおける光源ユニット３の位置が決まる。
【０１３０】
バネ受具３６が台座３１に取り付けられた状態では、被係合部となる第２貫通部３６３の上縁部３６３０が、取付面部３１１に沿っており、光源ユニット３を本体ユニット２に対して着脱する方向である上下方向Ｚと直交する。また、図１２に示すように、バネ２２ａの弾性力によってバネ受具３６が本体ユニット２の向き（上向きＺ１）に向って引っ張られて、光源ユニット３が本体ユニット２に取り付けられている状態で、上縁部３６３０は、板状のバネ２２の面に沿っている。このため、小さい幅寸法ＷＳ２のバネ２２ａを用いた場合でも、光源ユニット３は、台座３１の取付面部３１１が本体ユニット２の器具底面部２０１に沿うように姿勢が維持される。
【０１３１】
光源ユニット３は、異なる幅寸法の弾性部材と係り合う連結部材を備えているので、光源ユニット３を本体ユニット２に取り付ける作業、および光源ユニット３を本体ユニット２から取り外す作業は、弾性部材の異なる幅寸法によらず同様の手順で行うことができる。
＜効果＞
【０１３２】
照明装置１を構成する、本体ユニット２または光源ユニット３の軽量化が進む過程において、連結ユニット１０の小型化、簡素化が可能となる。
【０１３３】
本実施の形態で説明した連結ユニット１０は、連結部材であるバネ受具３６が異なる幅寸法の弾性部材の係合部と係り合う（係合する）被係合部を有する構成としたので、バネ受具３６を備えた光源ユニット３が、幅寸法が異なる弾性部材を備えた本体ユニット２に対して着脱自在に装着することができる。そして、バネに要する材料を削減することもできるので、連結装置１０および照明装置１の軽量化、コスト低減にも繋がる。さらに、光源ユニット３を本体ユニット２に取り付ける作業、および光源ユニット３を本体ユニット２から取り外す作業は、弾性部材の異なる幅寸法によらず同様の手順で行うことができる。
【０１３４】
本実施の形態で説明した連結ユニット１０は、弾性部材であるバネの係合部の幅寸法が異なる場合でも、連結部材であるバネ受具３６の被係合部と係り合う（係合する）構成としたので、バネ受具３６が配置された光源ユニット３は、バネが配置された本体ユニット２における短手方向Ｙの位置が決まる。したがって、短手方向Ｙにおける本体ユニット２と光源ユニット３との中心を一致させた状態で、光源ユニット３を本体ユニット２に装着できる。また、光源ユニット３から照射される光の光軸を、本体ユニット２の短手方向Ｙにおける中心に容易に一致させることができる。さらに、長手方向Ｘに沿って光源ユニット３と本体ユニット２との間に形成される、光源ユニット３と本体ユニット２との隙間を略同等の間隔とすることができるので、隙間のバランスが維持され意匠性にも優れる。
【０１３５】
本実施の形態で説明した連結ユニット１０は、弾性部材であるバネの幅寸法が異なる場合でも、光源ユニット３は、弾性部材であるバネの係合部が連結部材であるバネ受具３６の被係合部に密着した状態で、上向きＺ１に向って強く引張り上げられて本体ユニット２に装着される。つまり、バネが取り付けられている本体ユニット２の器具底面部２０１と、バネ受具３６が取り付けられている台座３１の取付面部３１１とは、装着方向である上下方向Ｚを法線方向として、互いに平行になる。このため、光源ユニット３は、本体ユニット２に対する長手方向Ｘまわりの光源ユニット３の取り付け角度を決めることができる。したがって、光源ユニット３は、本体ユニット２に対して、長手方向Ｘまわりに傾いて装着されることはなく、光源ユニット３から照射される光は一定の向きに維持される。また、長手方向Ｘまわりの角度が正しく決められることで、長手方向Ｘに沿って光源ユニット３と本体ユニット２との間に形成される、光源ユニット３と本体ユニット２との隙間を略同等の間隔とすることができるので、隙間のバランスが維持され意匠性にも優れる。
【０１３６】
照明装置１の連結ユニット１０を構成する、弾性部材である本体ユニット２のバネと連結部材である光源ユニット３バネ受具３６とは、異なる幅寸法の係合部を備えたバネと係り合う（係合する）被係合部を備えたバネ受具３６によって、バネが幅方向（短手方向Ｙ）へ移動することを規制できるので、光源ユニット３の短手方向における位置が決まる。そして、異なる幅寸法の係合部を備えたバネと係り合う（係合する）被係合部を備えたバネ受具３６によって、バネが取り付けられている本体ユニット２の器具底面部２０１とバネ受具３６が取り付けられている台座３１の取付面部３１１とは互いに平行になるので、本体ユニット２に対する光源ユニット３の長手方向Ｘまわりの角度が正しく決まる。
【０１３７】
実施の形態２．
図１３を参照して実施の形態２に係る連結ユニット１０ｂの構成を説明する。なお、以下の説明では、実施の形態１との相違点を中心に説明し、実施の形態１と共通する部分については同様の符号を付し説明を省略する。
【０１３８】
図１３は、実施の形態２に係るバネ受具３６ｂを示す図であり、（ａ）は斜視図、（ｂ）は背面図である。
【０１３９】
図１３に示すように、バネ受具３６ｂは、連結主部３６０ｂに形成された貫通孔３６１ｂが、実施の形態１における連結主部３６０に形成された貫通孔３６１と異なる。
【０１４０】
＜バネ受具３６ｂの貫通孔３６１ｂ＞
連結主部３６０ｂに形成される貫通孔３６１ｂは、バネ２２が挿入されるバネ挿入孔であり、バネ受具３６がバネ２２と係り合う（係合する）部分である。バネ受具３６とバネ２２とは係り合う（係合する）ことによって連結する。
【０１４１】
バネ受具３６ｂは、短手方向Ｙに沿って配置される連結主部３６０ｂに形成され、バネ２２が挿入される貫通孔３６１ｂを有する。貫通孔３６１ｂは、第１貫通孔３６２ｂと第２貫通孔３６３ｂとを有する。第１貫通孔３６２ｂと第２貫通孔３６３ｂとは上下方向に離間してそれぞれ独立した孔として形成されている。第１貫通孔３６２ｂは、第２貫通孔３６３ｂに対して連結主部３６０ｂの台座３１側の端部（主部下端部）寄りに配置されており、第２貫通孔３６３ｂは、第１貫通孔３６２ｂに対して連結主部３６０ｂの上端部３８０側の端部（主部上端部）寄りに配置されている。
【０１４２】
第１貫通孔３６２ｂは、第１下縁部３６２２ｂ、第１下縁部３６２２ｂの短手方向Ｙの両端部から上端部３８０側に向かう一対の第１側縁部３６２３ｂ、２つの第１側縁部３６２３ｂにおける第１下縁部３６２２ｂ側の端部と反対側の端部（第１上端部）どうし繋ぐ第１上縁部３６２０ｂに囲まれている。第２貫通孔３６３ｂは、第２下縁部３６３２ｂ、第２下縁部３６３２ｂの短手方向Ｙの両端部から上端部３８０側に向かう一対の第２側縁部３６３３ｂ、２つの第２側縁部３６３３ｂにおける第２下縁部３６３２ｂ側の端部と反対側の端部（第２上端部）どうし繋ぐ第２上縁部３６３０ｂに囲まれている。
【０１４３】
図１３に示すように、本実施の形態では、施工性を向上するために、第１貫通孔３６２ｂおよび第２貫通孔３６３ｂは、台形の形状をなしており、第１貫通孔３６２ｂは第１下縁部３６２２ｂから第１上縁部３６２０ｂに向って徐々に窄まるように形成されており、第２貫通孔３６３ｂは第２下縁部３６３２ｂから第２上縁部３６３０ｂに向って徐々に窄まるように形成されている。
【０１４４】
すなわち、第１上縁部３６２０ｂの長さ寸法Ｗ１は第１下縁部３６２２ｂの長さ寸法Ｗ２より小さく（Ｗ２＞Ｗ１）、第２上縁部３６３０ｂの長さ寸法Ｗ３は第２下端部３６３２ｂの長さ寸法Ｗ４より小さい（Ｗ４＞Ｗ３）。
【０１４５】
被係合部となる第１貫通孔３６２ｂの第１上縁部３６２０ｂの長さ寸法Ｗ１はバネ２２の幅寸法ＷＳ１に対応した寸法としており（Ｗ１≧ＷＳ１）、第１貫通孔３６２ｂに挿入されたバネ２２は、第１上縁部３６２０ｂの両端部によって幅方向（短手方向Ｙ）への移動を規制される。このため、本体ユニット２の短手方向Ｙにおける光源ユニット３の位置が決まる。
【０１４６】
バネ受具３６ｂが台座３１に取り付けられた状態では、被係合部となる第１貫通孔３６２ｂの第１上縁部３６２０ｂおよび第１下縁部３６２２ｂが、取付面部３１１に沿っており、光源ユニット３を本体ユニット２に対して着脱する方向である上下方向Ｚと直交する。また、バネ２２の弾性力によってバネ受具３６ｂが本体ユニット２側の向き（上向きＺ１）に向って引っ張られて、光源ユニット３が本体ユニット２に取り付けられている状態で、第１上縁部３６２０ｂおよび第１下縁部３６２２ｂは、板状のバネ２２の面に沿っている。このため、光源ユニット３は、台座３１の取付面部３１１が本体ユニット２の器具底面部２０１に沿うように姿勢が維持される。
【０１４７】
そして、第２貫通孔３６３ｂの第２下縁部３６３２ｂの長さ寸法Ｗ４および第２上縁部３６２０ｂの長さ寸法Ｗ３は、いずれもバネ２２の幅寸法ＷＳ１より小さい（ＷＳ１＞Ｗ４＞Ｗ３）。このため、連結ユニット１０ｂの弾性部材として幅寸法ＷＳ１のバネ２２を用いた場合は、バネ２２は第２貫通孔３６３ｂに挿入されない。
【０１４８】
＜幅寸法が異なるバネ２２ａ＞
本実施の形態では、バネ２２ａはバネ２２と幅寸法が異なる弾性部材である。バネ２２ａの幅寸法ＷＳ２はバネ２２の幅寸法ＷＳ１より小さい（ＷＳ２＜ＷＳ１）。そして、第２貫通孔３６３ｂの第２下縁部３６３２ｂの長さ寸法Ｗ４はバネ２２ａの幅寸法ＷＳ２より大きい（Ｗ４＞ＷＳ２）。また、第２貫通部３６３ｂの第２上縁部３６３０ｂの長さ寸法Ｗ３はバネ２２ａの幅寸法ＷＳ２に対応した寸法としている（Ｗ３≧ＷＳ２）。
【０１４９】
このため、第２貫通孔３６３ｂにはバネ２２ａを挿入することが可能であり、第２貫通孔３６３ｂに挿入されたバネ２２ａは、被係合部となる第２上縁部３６３０ｂの両端部によって幅方向（短手方向Ｙ）への移動を規制される。このため、小さい幅寸法ＷＳ２のバネ２２ａを用いた場合でも、本体ユニット２の短手方向Ｙにおける光源ユニット３の位置が決まる。
【０１５０】
バネ受具３６ｂが台座３１に取り付けられた状態では、被係合部となる第２貫通孔３６３ｂの第２上縁部３６３０ｂが、取付面部３１１に沿っており、光源ユニット３を本体ユニット２に対して着脱する方向である上下方向Ｚと直交する。また、バネ２２ａの弾性力によってバネ受具３６ｂが本体ユニット２側の向き（上向きＺ１）に向って引っ張られて、光源ユニット３が本体ユニット２に取り付けられている状態で、第２上縁部３６３０ｂは、板状のバネ２２ａの面に沿っている。このため、小さい幅寸法ＷＳ２のバネ２２ａを用いた場合でも、光源ユニット３は、台座３１の取付面部３１１が本体ユニット２の器具底面部２０１に沿うように姿勢が維持される。
【０１５１】
光源ユニット３は、異なる幅寸法の弾性部材と係り合う連結部材を備えているので、光源ユニット３を本体ユニット２に取り付ける作業および光源ユニット３を本体ユニット２から取り外す作業は、弾性部材の異なる幅寸法によらず同様の手順で行うことができる。
【０１５２】
実施の形態３．
図１４を参照して実施の形態３に係る連結ユニット１０ｃの構成を説明する。なお、以下の説明では、実施の形態１との相違点を中心に説明し、実施の形態１と共通する部分については同様の符号を付し説明を省略する。
【０１５３】
図１４は、実施の形態３に係るバネ受具３６ｃを示す図であり、（ａ）は斜視図、（ｂ）は背面図である。
【０１５４】
図１４に示すように、連結ユニット１０ｃを構成するバネ受具３６ｃは、連結主部３６０ｃに形成された貫通孔３６１ｃが、実施の形態１における連結主部３６０に形成された貫通孔３６１と異なる。
【０１５５】
＜バネ受具３６ｃの貫通孔３６１ｃ＞
連結主部３６０ｃに形成される貫通孔３６１ｃは、バネ２２が挿入されるバネ挿入孔であり、バネ受具３６ｃがバネ２２と係り合う（係合する）部分である。バネ受具３６ｃとバネ２２とは係り合う（係合する）ことによって連結する。
【０１５６】
バネ受具３６ｃは、短手方向Ｙに沿って配置される連結主部３６０ｃに形成され、バネ２２が挿入される貫通孔３６１ｃを有する。貫通孔３６１ｃは、第１貫通部３６４ｃ１、第２貫通部３６４ｃ２、第３貫通部３６４ｃ３、第４貫通部３６４ｃ４および第５貫通部３６４ｃ５の、５つの貫通部を有する。これら５つの貫通部３６４ｃ１〜３６４ｃ５は上下方向に隣接して１つの貫通孔として形成されている。第１貫通部３６２ｃは連結主部３６０ｃの台座３１側の端部（主部下端部）寄りに配置されており、第５貫通部３６４ｃ５は、連結主部３６０の上端部３８０側の端部（主部上端部）寄りに配置されている。
【０１５７】
図１３に示すように、貫通孔３６１ｃは、下縁部３６４２ｃ、下縁部３６４２ｃと対向する上縁部３６４０ｃ、下縁部３６４２ｃと上縁部３６４０ｃとを繋ぐ、五組（五対）の側縁部３６４３ｃ１〜３６４３ｃ５および四組（四対）の段差部３６４１ｃ１〜３６４１ｃ４に囲まれている。
【０１５８】
下縁部３６４２ｃの長さ寸法はＷ２である。
【０１５９】
第１貫通部３６４ｃ１の２つの第１段差部３６４１ｃ１における第１側縁部３６４３ｃ１側の端部（第１段差外端部）どうしの距離寸法はＷ１であり、２つの第１段差部３６４１ｃ１における第１側縁部３６４３ｃ１側の端部と反対側の端部（第１段差内端部）どうしの距離寸法はＷ４である。
【０１６０】
第２貫通部３６４ｃ２の２つの第２段差部３６４１ｃ２における第２側縁部３６４３ｃ２側の端部（第２段差外端部）どうしの距離寸法はＷ３であり、２つの第２段差部３６４１ｃ２における第２側縁部３６４３ｃ２側の端部と反対側の端部（第２段差内端部）どうしの距離寸法はＷ６である。
【０１６１】
第３貫通部３６４ｃ３の２つの第３段差部３６４１ｃ３における第３側縁部３６４３ｃ３側の端部（第３段差外端部）どうしの距離寸法はＷ５であり、２つの第３段差部３６４１ｃ３における第３側縁部３６４３ｃ３側の端部と反対側の端部（第３段差内端部）どうしの距離寸法はＷ８である。
【０１６２】
第４貫通部３６４ｃ４の２つの第４段差部３６４１ｃ４における第４側縁部３６４３ｃ４側の端部（第４段差外端部）どうしの距離寸法はＷ７であり、２つの第４段差部３６４１ｃ４における第４側縁部３６４３ｃ４側の端部と反対側の端部（第３段差内端部）どうしの距離寸法はＷ１０である。
【０１６３】
第５貫通部３６４ｃ５の下縁部３６４０ｃの長さ寸法はＷ９である。
【０１６４】
そして、各寸法の関係は、Ｗ２＞Ｗ１＞Ｗ４＞Ｗ３＞Ｗ６＞Ｗ５＞Ｗ８＞Ｗ７＞Ｗ１０＞Ｗ９である。
【０１６５】
第１貫通部３６４ｃ１の２つの第１段差部３６４１ｃ１における第１側縁部３６４３ｃ１側の端部（第１段差外端部）どうしの距離寸法Ｗ１は、下縁部３６４２ｃの長さ寸法をＷ２より小さく（Ｗ２＞Ｗ１）、第１段差部３６４１ｃ１における第１側縁部３６４３ｃ１側の端部（第１段差外端部）どうしの距離寸法Ｗ１は、バネ２２ｎ１の幅寸法をＷＳ１に対応した寸法としている（Ｗ１≧ＷＳ１）。また、２つの第１段差部３６４１ｃ１における第１側縁部３６４３ｃ１側の端部と反対側の端部（段差部内端部）どうしの距離寸法Ｗ４、および第２貫通部３６４ｃ２の２つの第２段差部３６４１ｃ２における第２側縁部３６４３ｃ２側の端部（第段差外端部）どうしの距離寸法Ｗ３は、いずれもバネ２２ｎ１の幅寸法ＷＳ１より小さい（ＷＳ１＞Ｗ４＞Ｗ３）。このため、連結ユニット１０ｃの弾性部材として幅寸法ＷＳ１のバネ２２ｎ１を用いた場合は、バネ２２ｎ１は第１貫通部３６４ｃ１に挿入され、第２貫通部３６４ｃ２〜第５貫通部３６４ｃ５に挿入されない。
【０１６６】
同様にして、第２貫通部３６４ｃ２には幅寸法ＷＳ２（Ｗ３≧ＷＳ２、ＷＳ２＞Ｗ６）のバネ２２ｎ２が、第３貫通部３６４ｃ３には幅寸法ＷＳ３（Ｗ５≧ＷＳ３、ＷＳ３＞Ｗ８）のバネ２２ｎ３が、第４貫通部３６４ｃ４には幅寸法ＷＳ４（Ｗ７≧ＷＳ４、ＷＳ４＞Ｗ１０）のバネ２２ｎ４が、第５貫通部３６４ｃ５には幅寸法ＷＳ５（Ｗ９≧ＷＳ５）のバネ２２ｎ５が挿入される。
【０１６７】
実施の形態１の貫通孔３６１は、２種類の異なる幅のバネ２２およびバネ２２ａに対応したバネ挿入孔であるが、本実施形態の貫通孔３６１ｃは、５種類の異なる幅寸法ＷＳ１〜ＷＳ５のバネ２２ｎ１〜バネ２２ｎ５（図示は省略）に対応したバネ挿入孔であり、５種類の異なる幅寸法のバネの挿入が可能になるので、バネ受具３６ｃは５種類の異なる幅のバネのバネと係り合う（係合する）ことが可能であり、これによって、５種類の異なる幅寸法のバネと連結が可能になる。
【０１６８】
バネ受具３６ｃは、多くの異なる幅寸法のバネとの連結を可能にするとともに、異なる幅寸法のバネを用いた場合でも、本体ユニット２の短手方向Ｙにおける光源ユニット３の位置が決まり、光源ユニット３は、台座３１の取付面部３１１が本体ユニット２の器具底面部２０１に沿うように姿勢が維持される。
【０１６９】
実施の形態４．
図１５、図１６を参照して実施の形態３に係る連結ユニット１０ｄの構成を説明する。なお、以下の説明では、実施の形態１との相違点を中心に説明し、実施の形態１と共通する部分については同様の符号を付し説明を省略する。
【０１７０】
図１５は、実施の形態４に係る連結ユニット１０ｄを示す図であり、（ａ）はバネ２２ｄの斜視図、（ｂ）はバネ受具３６ｄの斜視図である。図１６は、実施の形態４に係る連結ユニット１０ｄの作用を説明する図であり、（ａ）は形状が異なるバネ２２ｄを用いた状態を示す図、（ｂ）形状が異なるバネ２２ｄとバネ受具３６ｄとが係り合う状態の示す斜視図である。
【０１７１】
図１５に示すように、連結ユニット１０ｄは、バネ２２ｄおよびバネ受具３６ｄが、実施の形態１における連結ユニット１０と異なる。バネ２２ｄは、実施の形態１におけるバネ２２と形状が異なる。また、本実施の形態のバネ受具３６ｄは、連結主部３６０ｄに形成された貫通孔３６１ｄが、実施の形態１における連結主部３６０に形成された貫通孔３６１と異なる。
【０１７２】
＜バネ２２ｄ＞
図１５（ａ）、図１６に示すように、バネ２２ｄは長尺形状であり、全体が硬鋼線、ステンレス鋼線、ピアノ線などのバネ鋼線で形成された線バネである。バネ２２ｄは、一対の固定部２２０ｄ、一対のコイル部２３４、一対の弾性変形部（円弧形状部）２２４ｄ、および先端部２３３ｄ（Ｋ）とから構成される。弾性変形部（円弧形状部）２２４ｄは、中央部の一部が幅方向（短手方向Ｙ）の外側に凸となるように湾曲している。
【０１７３】
先端部２３３ｄ（Ｋ）の幅寸法はＷＳ１である。弾性変形部（円弧形状部）２２４ｄの幅寸法は、先端部２３３ｄ（Ｋ）の側とコイル部２３４の側においてＷＳ１であり、中央部における最大幅寸法がＷＳＶ１である。
【０１７４】
２つのコイル部２３４は、バネ２２ｄの幅方向（短手方向Ｙ）に共通の軸心Ｐが沿うように、離間して配置されている。２つのコイル部２３４の間隔寸法は、弾性変形部（円弧形状部）２２４ｄのコイル部２３４の側における幅寸法ＷＳ１に略等しい。２つのコイル部２３４は、軸心Ｐまわりに弾性変形が可能な状態で、本体ユニット２の器具底面部２０１に保持される。
【０１７５】
２つの固定部２２０ｄは、２つのコイル部２３４の外側からコイル部２３４の接線方向に並行して延出している一対の固定基部２２００ｄと、固定基部２２００ｄの先端側の固定曲げ部２２０２ｄから、バネ２２ｄの幅方向（短手方向Ｙ）の外側に向って屈曲させた固定端部２２０１ｄとを有する。固定端部２２０１ｄの向きは２つのコイル部２３４の軸心Ｐに沿っている。２つの固定端部２２０１ｄは、本体ユニット２の器具底面部２０１に保持される。２つの固定端部２２０１ｄが器具底面部２０１に保持されることによって、２つのコイル部２２０ｄは回動が規制された状態で、弾性変形が可能となる。
【０１７６】
２つの弾性変形部（円弧形状部）２２４ｄは、２つのコイル部２３４の内側からコイル部の接線方向における２つの固定部２２０ｄの反対側の向きに並行して延出している。２つの弾性変形部（円弧形状部）２２４ｄは、２つのコイル部２３４に繋がる変形基部２２４０ｄと、バネ２２ｄの長さ方向（長手方向Ｙ）に延びるとともに、先端側の変形曲げ部２２４２ｄからバネ２２ｄの幅方向（短手方向Ｙ）と交差する向きに凸となる円弧部２２４１ｄ（Ｅ）とを有する。円弧部２２４１ｄ（Ｅ）は、後述するバネ受具３６ｄの係合溝３６５と当接して摺動する摺動部である。２つの弾性変形部（円弧形状部）２２４ｄは、円弧部２２４１ｄの中央部に、バネ２２ｄの幅方向（短手方向Ｙ）の外側に向って凸となる湾曲部２２４３ｄが形成されている。湾曲部２２４３ｄは、後述する係合溝３６５の外側縁部３６５４と当接して摺動する摺動部である。
【０１７７】
先端部２３３ｄ（Ｋ）は、円弧部２２４１ｄ（Ｅ）の端部が屈曲された屈曲部であり、後述する係合溝３６５の上縁部３６５０に引っ掛けられる。先端部２３３ｄ（Ｋ）は、鉤部ともいう。先端部２３３ｄ（Ｋ）は、２つの２つの弾性変形部（円弧形状部）２２４ｄを繋ぐ接続部２２４４ｄに接続される。接続部２２４４ｄは、後述するバネ受具３６ｄのバネ係止爪３６６に係止される。
【０１７８】
バネ２２ｄは、中央部にバネ２２ｄの幅方向（短手方向Ｙ）の外側に向って凸となる湾曲部２２４３ｄが形成され、バネ２２ｄの幅方向（短手方向Ｙ）と交差する向きに凸となる円弧部２２４１ｄ（Ｅ）を有するので、バネ２２ｄの幅方向（短手方向Ｙ）にも弾性変形する。
【０１７９】
＜バネ受具３６ｄ＞
バネ受具３６ｄは、本体ユニット２が備える弾性部材が板バネであるバネ２２あるいはバネ２２ａと係り合い（係合し）、光源ユニット３を本体ユニット２に連結固定する他、本体ユニット２が備える弾性部材が線バネであるバネ２２ｄと係り合い（係合し）、光源ユニット３を本体ユニット２に連結固定する。
【０１８０】
バネ受具３６ｄは、本体ユニット２のバネ２２あるいはバネ２２ａとともに、光源ユニット３を引っ張ることによって本体ユニット２に取り付ける連結ユニット１０ｄを構成する。そして、バネ受具３６ｄは、本体ユニット２のバネ２２ｄとともに、光源ユニット３を引っ張ることによって本体ユニット２に取り付ける連結ユニット１０ｄを構成する。すなわち、バネ受具３６ｄは、異なる寸法あるいは異なる形状のバネと相互に係り合い（係合し）、本体ユニット２と光源ユニット３とを連結することができる。
【０１８１】
＜バネ受具３６ｄの貫通孔３６１ｄ＞
バネ受具３６ｄの連結主部３６０ｄに形成される貫通孔３６１ｄは、バネ２２、バネ２２ａ、バネ２２ｄのいずれかが挿入されるバネ挿入孔であり、バネ受具３６ｄがバネ２２、バネ２２ａ、バネ２２ｄのいずれかと係り合う（係合する）部分である。バネ受具３６ｄとバネ２２、バネ２２ａ、バネ２２ｄのいずれかとは係り合う（係合する）ことによって連結する。
【０１８２】
図１５（ｂ）、図１６に示すように、  バネ受具３６ｄの連結主部３６０ｄには、バネ２２、バネ２２ａ、バネ２２ｄのいずれかが挿通される貫通孔３６１が形成されている。
【０１８３】
バネ受具３６ｄは、短手方向Ｙに沿って配置される連結主部３６０ｄに形成され、バネ２２、バネ２２ａ、バネ２２ｄのいずれかが挿入される貫通孔３６１ｄを有する。貫通孔３６１ｄは、第１貫通部３６２と第２貫通部３６３とを有する。第１貫通部３６２と第２貫通部３６３とは上下方向に隣接して１つの貫通孔として形成されている。第１貫通部３６２は、第２貫通部３６３に対して連結主部３６０ｄの台座３１側の端部（主部下端部）寄りに配置されており、第２貫通部３６３は、第１貫通部３６２に対して連結主部３６０ｄの上端部３８０側の端部（主部上端部）寄りに配置されている。
【０１８４】
連結主部３６０ｄには、短手方向Ｙにおける第２貫通部３６３の外側に一対の係合溝３６５が形成されている。本実施の形態では、２つの係合溝３６５は、一対の段差部３６２１の短手方向における両端部から連結主部３６０ｄの上端部３８０側に向って切り欠かれた切り欠き形状をなす。本実施の形態では、２つの係合溝３６５は、第１貫通部３６２と繋がっており、貫通孔３６１ｄの一部を構成している。また、本実施の形態では、２つの係合溝３６５は、第２貫通部３６３とは直接繋がらず離間して形成されている。
【０１８５】
２つの係合溝３６５は、一対の第１側縁部３６２３とそれぞれ繋がり上端部３８０側に向かう一対の外側縁部３６５４、２つの段差部３６２１から上端部３８０側に向かい、外側縁部３６５４と対向する一対の内側縁部３６５３および外側縁部３６５４と内側縁部３６５３とを上端部３８０側で繋ぐ上縁部３６５０に三方を囲まれている。
【０１８６】
２つの係合溝３６５にはバネ２２ｄの円弧部２２４１ｄ（Ｅ）が当接して摺動する。また、２つの外側縁部３６５４には円弧部２２４１ｄ（Ｅ）の湾曲部２２４３ｄが当接して摺動する。そして、２つの上縁部３６５０にはバネ２２ｄの先端部２３３ｄ（Ｋ）が引っ掛けられる。
【０１８７】
本実施の形態では、２つの段差部３６２１ｄから第２面３６０１の側に折り曲げられた一対のバネ係止爪３６６を有する。２つのバネ係止爪３６６は接続部２２４４ｄがバネ受具３６ｄから外れないように係止する。なお、２つのバネ係止爪３６６は、好ましくは、線バネであるバネ２２ｄの接続部２２４４ｄが係止され、板バネであるバネ２２の先端部２３３（Ｋ）が引っ掛けられる寸法や形状を選択する。
【０１８８】
このように、本実施の形態に係る連結ユニット１０ｄは、弾性部材として板バネとは形状が異なる線バネであるバネ２２ｄを用いることができる。そして、本実施の形態に係る連結ユニット１０ｄは、弾性部材が板バネである場合には、係合部の幅寸法が異なるバネ２２あるいはバネ２２ａのいずれとも相互に係り合い（係合し）、さらに、弾性部材が線バネであるバネ２２ｄと相互に係り合い（係合し）、本体ユニット２と光源ユニット３とを連結することができる。
【０１８９】
＜その他＞
上記の実施の形態において、器具本体２０および器具端部２１は、板金が折り曲げられて形成されるものとして説明したが、これに限らない。器具本体２０あるいは器具端部２１は、押出成形などの方法で形成されたものであってもよい。また、器具本体２０あるいは器具端部２１は、金属材料以外の材料を用いて形成されてもよく、例えば、樹脂材料を用いて形成されたものであってもよい。
【０１９０】
上記の実施の形態において、発光部３０は、パッケージ化された面実装型（ＳＭＤ型）のＬＥＤ素子を用いた態様について説明したが、これに限らない。光源部１００は、複数のＬＥＤチップが基板上に直接実装され、複数のＬＥＤチップを蛍光体含有樹脂によって一括して封止した構成であるＣＯＢ（Ｃｈｉｐ  Ｏｎ  Ｂｏａｒｄ）型の発光部３０であってもよい。
【０１９１】
上記の実施の形態において、発光部３０は、青色ＬＥＤチップと黄色蛍光体とによって白色光を放出するように構成したが、これに限らない。例えば、赤色蛍光体および緑色蛍光体を含有する蛍光体含有樹脂を用いて、これと青色ＬＥＤチップと組み合わせることによりに白色光を放出するように構成してもよい。また、青色以外の色を発光するＬＥＤチップを用いてもよく、例えば、青色ＬＥＤチップが放出する青色光よりも短波長である紫外光を放出する紫外ＬＥＤチップを用いて、主に紫外光により励起されて青色光、赤色光および緑色光を放出する青色蛍光体粒子、緑色蛍光体粒子および赤色蛍光体粒子によって白色光を放出するように構成してもよい。
【０１９２】
上記の実施の形態において、発光素子としてＬＥＤを例示して説明したが、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（ＥｌｅｃｔｒｏＬｕｍｉｎｅｓｃｅｎｃｅ）または無機ＥＬなどの発光素子を用いてもよい。そして、発光素子の数は、複数に限らず、１つであってもよい。詳しくは、長手方向の長さが基板３００または台座３１の長手方向の長さと略等しい、長尺の有機ＥＬ素子１つを発光素子３０１として用い、有機ＥＬ素子の長手方向と基板３００または台座３１の長手方向が並行になるように配置してもよい。
【０１９３】
上記の実施の形態において、台座３１は、金属製の板材を折り曲げて形成されるものと説明したが、これに限らず、台座３１は、押出成形など他の形成方法を用いて製造されるものであってもよい。また、台座３１は、金属製以外に、樹脂材料、セラミック材料などを用いて製造されたものであってもよい。樹脂材料として、例えば、アクリル、ポリカーボネート（ＰＣ）などを用いることができる。
【０１９４】
上記の実施の形態において、カバー３３は、樹脂材料を用いて押出成形などの方法で製造されるものと説明したが、これに限らず、カバー３３は押出成形の他、射出成形、３次元印刷成形などの方法で製造されるものであってもよい。また、カバー３３はガラス材料を用いて製造されるものであってもよい。
【０１９５】
バネ２２は、本体ユニット２あるいは光源ユニット３の形状または寸法に応じて設置される数を変更することができる。例えば、本体ユニット２の長手方向Ｘの長さ寸法が小さい（長さが短い）場合には、長手方向Ｘの一端部のみに１個のバネ２２を設置し、他端部はフックなどで固定する機構としてもよい。
【０１９６】
また、バネ２２は、本体ユニット２の長手方向Ｘにおける端部以外に設置することができる。例えば、本体ユニット２の長手方向Ｘの長さ寸法が大きい（長さが長い）場合には、長手方向Ｘの両端部と中央部に３個以上のバネ２２を設置してもよい。中央部にバネ２２を設置する場合は、バネ２２およびバネ２２に対応して光源ユニット３が備えるバネ受具３６が、光源ユニット３に取り付けられる点灯装置３５と干渉しない位置を選択する。
【０１９７】
バネ受具３６は、光源ユニット３あるいは本体ユニット２の形状または寸法に応じて設置される数を変更することができる。例えば、光源ユニット３の長手方向Ｘの長さ寸法が小さい（長さが短い）場合には、長手方向Ｘの一端部のみに１個のバネ受具３６を設置し、他端部はフックなどで固定する機構としてもよい。
【０１９８】
また、バネ受具３６は、光源ユニット３の長手方向Ｘにおける端部以外に設置することができる。例えば、光源ユニット３の長手方向Ｘの長さ寸法が大きい（長さが長い）場合には、長手方向Ｘの両端部と中央部に３個以上のバネ受具３６を設置してもよい。中央部にバネ受具３６を設置する場合は、バネ受具３６およびバネ受具３６に対応して本体ユニット２が備えるバネ２２が、光源ユニット３に取り付けられる点灯装置３５と干渉しない位置を選択する。
【０１９９】
貫通孔３６１の形状は、種々の変形が可能である。具体的には、上記の実施の形態では、各側縁部は直線状に形成された態様を例示しているが、これに限らず、曲線状に形成されてもよいし、直線状の部分と曲線状の部分とを組み合せて形成されてもよい。この際、各両側の側縁部は、光源ユニット３を本体ユニット２に着脱する方向である上下方向Ｚに沿った貫通孔３６１の中心線に対して対称の形状であることが好ましい。
【０２００】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０２０１】
１  照明装置、１０，１０ｂ，１０ｃ，１０ｄ  連結ユニット、２  本体ユニット（照明器具）、２０  器具本体、２００  収容部（凹部）、２０１  器具底面部、２０２  器具側面部、２０３  開口縁部、２０４  開口周部（下面部）、２０５  斜面部（反射部）、２０６  貫通孔、２０７  固定孔、２０８  配線孔、２１  器具端部、２１０  ノックアウト、２１１  開口周部（下面部）、２２，２２ａ，２２ｎ１〜ｎ５，２２ｄ  バネ、２２０，２２０ｄ  固定部、２２００ｄ  固定基部、２２０１ｄ  固定端部、２２０２  固定折り曲げ部、２２１  第１平坦部（Ｌ１）、２２２  貫通孔（ネジ孔）、２２３  バネ係止片、２２４，２２４ｄ  弾性変形部（円弧形状部）、２２４０ｄ  変形基部、２２４１ｄ  変形円弧部、２２４２ｄ  変形曲げ部、２２４３ｄ  湾曲部、２２４４ｄ  接続部、２２５  第１曲げ部（Ｍ１）、２２６  第２平坦部（Ｌ２）、２２７  第２曲げ部（Ｍ２）、２２８  第３平坦部（Ｌ３）、２２９  第３曲げ部（Ｍ３）、２３０  第４平坦部（Ｌ４）、２３１  第４曲げ部（Ｍ４）、２３２  円弧部（Ｅ）、２３２ａ  裏面、２３３  先端部（Ｋ）、２３４  コイル部、２４  器具配線具、２４０  器具電源線、２４１  器具電源線コネクタ、２４２  制御線、２４３  端子台、２５  ネジ、３  光源ユニット（灯具）、３０  発光部、３００  基板、３０１  発光素子、３１  台座（取付部材）、３１１  取付面部、３１２  載置面部、３１９  係止貫通孔、３２０  台座取付部、３２００  平坦部、３２０１  ネジ孔、３２２  台座側部、３２３  基端部、３２４  台座係合部、３３  カバー、３３０  主カバー、３３２  カバー主部、３３３  カバー側部、３３６  カバー取付部、３３７  カバー係合部、３３８  カバー支持部、３４０  端部カバー、３５  点灯装置、３５０  電源ユニット、３５１  電源ケース、３６，３６ｂ、３６ｃ，３６ｄ  バネ受具、３６０  連結主部、３６００  第１面、３６０１  第２面、３６１，３６１ｂ，３６１ｃ，３６１ｄ  貫通孔、３６２  第１貫通部（幅広部）、３６２ｂ  第１貫通孔（幅広部）、３６２０ｂ  第１上縁部（第１係合部）、３６２１  段差部（第１係合部）、３６２２  下縁部、３６２２ｂ  第１下縁部、３６２３，３６２３ｂ  第１側縁部、３６３  第２貫通部（幅狭部）、３６３ｂ  第２貫通孔（幅狭部）、３６３０  上縁部（第２係合部）、３６３０ｂ  第２上縁部（第２係合部）、３６３２ｂ  第２下縁部、３６３３，３６３３ｂ  第２側縁部、３６４ｃ１〜ｎ  第１〜ｎ貫通部、３６４０ｃ  上縁部（第ｎ係合部）、３６４１ｃ１〜ｎ−１  第１〜ｎ−１段差部（第１〜ｎ−１係合部）、３６４２ｃ  下縁部、３６４３ｃ１〜ｎ−１  第１〜ｎ側縁部、３６５  係合溝（切欠部）、３６５０  上縁部、３６５３  内側縁部、３６５４  外側縁部、３６６  バネ係止爪、３７０  連結固定部、３７１  第１面、３７２  第２面  ネジ挿通孔、３８０  上端部、３８１  連結側部、３８２  張出部、３８２０  第１面、３８２１  第２面、３８３  機能部、３８４  差込片（第１機能部）、３８５  カバー保持片（第２機能部）、３８６  台座係合片（第３機能部）、４０  光源配線具、４００  光源電線、４０１  光源電源線、４０２  光源電源線コネクタ、４０３  給電線  ４０４  給電線コネクタ、４０５  制御線、４０６  電線配線具、４０７  電線保持具、５０  ネジ、９造営部。
【図１】
2019175573.tif 000003
【図２】
2019175573.tif 000004
【図３】
2019175573.tif 000005
【図４】
2019175573.tif 000006
【図５】
2019175573.tif 000007
【図６】
2019175573.tif 000008
【図７】
2019175573.tif 000009
【図８】
2019175573.tif 000010
【図９】
2019175573.tif 000011
【図１０】
2019175573.tif 000012
【図１１】
2019175573.tif 000013
【図１２】
2019175573.tif 000014
【図１３】
2019175573.tif 000015
【図１４】
2019175573.tif 000016
【図１５】
2019175573.tif 000017
【図１６】
2019175573.tif 000018